(57)【要約】【課題】  親指がグリップの上面の支持部に設けた凹部内に押し付けられるようになっているストックのグリップを提供する。【解決手段】  シャフト２と、該シャフト２の一端部に取り付けられるグリップ１０と、該グリップ１０の両端間に掛け渡されるとともに、手の甲の部分を通した状態で締め付け可能なストラップ３５とを備えたストックに用いた場合、前記グリップ１０の端部には、前記手の甲の部分を通した状態で、前記手の親指を載せる支持部１７が設けられ、さらに、この支持部１７には親指が位置する凹部１７ａが設けられている。【選択図】  図１
2010110407.tif 000002
【特許請求の範囲】
【請求項１】
ストックのグリップであって、このグリップには使用者が握る端部に親指が位置する凹状支持部が設けられていることを特徴とするストックのグリップ。
【請求項２】
シャフトと、該シャフトの一端部に取り付けられるグリップと、該グリップの両端間に掛け渡されるとともに、手の甲の部分を通した状態で締め付け可能なストラップとを備え、
前記グリップの端部には、前記ストラップに前記手の甲の部分を通した状態で、前記手の親指が接触する凹状支持部が設けられていることを特徴とするストックのグリップ。
【請求項３】
前記凹状支持部の表面は、前記グリップの軸線に対して所定の角度で傾斜し、かつ両側がせり上がった曲面に形成されていることを特徴とする請求項１に記載のストックのグリップ。
【請求項４】
前記グリップの端部には、前記ストラップに前記手の甲の部分を通した状態で、該手の人差し指の一部を係止させる係止部が設けられていることを特徴とする請求項１又は２に記載のストックのグリップ。
【請求項５】
前記係止部は、前記凹状支持部の窪み方向に弾性変形可能に構成されていることを特徴とする請求項４に記載のストックのグリップ。
【請求項６】
前記ストラップには、前記手の甲の部分に当接するクッション性を有するパッドが設けられていることを特徴とする請求項２又は４に記載のストックのグリップ。
【請求項７】
前記シャフトの他端部には、弾性体からなる滑り止め部材が着脱可能に取り付けられていることを特徴とする請求項２から５の何れかに記載のストックのグリップ。
【請求項８】
前記滑り止め部材の先端部は、表面が球面状に形成されるとともに、該球面状の表面には、凹凸又は溝が設けられていることを特徴とする請求項７に記載のストックのグリップ。
【発明の詳細な説明】
【技術分野】
【０００１】
本発明は、ストックのグリップに関し、特に、ノルディック・ウォーキング等のウォーキングスポーツに有効な歩行用ストックのグリップに関する。
【背景技術】
【０００２】
近年、ノルディック・ウォーキング等のウォーキングスポーツが普及している。ノルディック・ウォーキングは、２本のストックを両手に持って全身を使って行う有酸素運動であり、ストックを使用しない通常のウォーキングに比べて運動効果が非常に高いため、今後益々広く普及することが予想される。
【０００３】
上記のようなウォーキングスポーツに使用される歩行用ストックの一例が特許文献１に記載されている。この歩行用ストックは、シャフトと、シャフトの一端部に取り付けられるとともに、シャフトの軸線に対して所定の角度で傾斜するグリップと、シャフトの他端部に取り付けられる石突と、グリップに取り付けられるストラップとを備えている。
【０００４】
このような構成の歩行用ストックにあっては、グリップをシャフトに対して所定の角度で傾斜させているので、石突を地面に突いた際に手首を大きく曲げる必要はなく、理想的な手の振りを維持することができ、長時間のウォーキングにも快適に使用することができるというものである。
【特許文献１】特開２００１−４６１２９号公報
【発明の開示】
【発明が解決しようとする課題】
【０００５】
上記のような構成の歩行用ストックのグリップにあっては、一定の運動効果を得るためには、ウォーキング中にグリップを手で握り続けて、歩行用ストックを腕と一体に振り続けなければならない。
【０００６】
しかし、長時間のウォーキングを連続して行うような場合には、時間の経過に伴って次第に握力が低下するとともに、手首への負担が増大するため、グリップを握り続けることが困難となって歩行用ストックを腕と一体に振り続けることが困難になる。このために一定の運動効果が得られなくなる。
【０００７】
本発明は、上記のような従来の問題に鑑みなされたものであって、グリップを握り続けることがなくてもグリップ自体が指にくっ付くようにして、握力が低下したとしても長時間のウォーキングを連続して行うことが可能な歩行用ストックのグリップを提供することを目的とする。
【課題を解決するための手段】
【０００８】
上記のような課題を解決するために、本発明は、以下のような手段を採用している。
すなわち、請求項１に係る発明は、使用者が握った時に親指が位置する凹状支持部をグリップに設けたことを特徴とする。
【０００９】
請求項２に係る発明は、シャフトと、該シャフトの一端部に取り付けられるグリップと、該グリップの両端間に掛け渡されるとともに、手の甲の部分を通した状態で締め付け可能なストラップとを備え、前記グリップの端部には、前記ストラップに前記手の甲の部分を通した状態で、前記手の親指を載せる凹状支持部が設けられていることを特徴とする。
【００１０】
本発明の歩行用ストックによれば、グリップを握った時に親指が位置する凹状支持部が設けられているのでグリップと手とが容易に一体となる。
【００１１】
また請求項２の発明はストラップに手の甲の部分を通した状態でストラップを締め付けることにより、ストラップとグリップとの間に手の甲の部分が固定され、手の甲の部分とグリップとが一体化される。この状態で手の親指をグリップの凹状支持部に載せることにより、グリップの端部の支持部と手の親指とが一体となる。
【００１２】
請求項３に係る発明は、請求項１に記載のストックのグリップであって、前記凹状支持部の表面は、前記グリップの軸線に対して所定の角度で傾斜し、かつ両側がせり上がった曲面に形成されていることを特徴とする。
【００１３】
本発明のストックのグリップによれば、支持部の傾斜角度を手を開いたときの親指の角度に合わせ、曲面を親指の外径よりも大きい曲率半径に設定しておくことにより、ストラップに手の甲の部分を通した状態で手の親指を自然な角度でグリップの凹状の支持部に載せることができる。また、支持部に載せた手の親指が支持部から外れるのを防止できる。
【００１４】
請求項４に係る発明は、請求項１又は２に記載のストックのグリップであって、前記グリップの端部には、前記ストラップに前記手の甲の部分を通した状態で、該手の人差し指の一部を係止させる係止部が設けられていることを特徴とする。
【００１５】
本発明の歩行用ストックによれば、ストラップに手の甲の部分を通した状態で、手の人差し指の一部が係止部に係止されることにより、手の甲の部分がグリップの軸線方向にずれるのが防止される。
【００１６】
請求項５に係る発明は、請求項４に記載のストックのグリップであって、前記係止部は、前記凹状支持部の窪み方向に弾性変形可能に構成されていることを特徴とする。
【００１７】
本発明のストックのグリップによれば、ストラップに手の甲の部分を通し、該手の親指をグリップの支持部に載せ、この状態で腕と歩行用ストックとを一体に振る際に、人差し指に係止部を押し付けることができるので、手の指を離した状態でも手とグリップとの一体感を高めることができる。
【００１８】
請求項６に係る発明は、請求項２又は４に記載のストックのグリップであって、前記ストラップには、前記手の甲の部分に当接するクッション性を有するパッドが設けられていることを特徴とする。
【００１９】
本発明のストックのグリップによれば、ストラップに手の甲の部分を通し、該手の親指をグリップの支持部に載せ、この状態で腕と歩行用ストックとを一体に振る際に、手の甲の部分に集中しようとする荷重をパッドによって緩衝させることができる。
【００２０】
請求項７に係る発明は、請求項２から５の何れかに記載のストックのグリップであって、前記シャフトの他端部には、弾性体からなる滑り止め部材が着脱可能に取り付けられていることを特徴とする。
【００２１】
本発明のストックのグリップによれば、シャフトの他端部に滑り止め部材を取り付けることにより、滑り止め部材を介して歩行用ストックを地面に突くことになるので、滑り易い地面であっても歩行用ストックを確実に地面に突くことが可能となる。また、歩行用ストックを地面に突いたときの衝撃を緩衝させることができる。
【００２２】
請求項８に係る発明は、請求項７に記載のストックのグリップであって、前記滑り止め部材の先端部は、表面が球面状に形成されるとともに、該球面状の表面には、凹凸又は溝が設けられていることを特徴とする。
【００２３】
本発明の歩行用ストックのグリップによれば、シャフトの他端部に取り付けられた滑り止め部材の先端部の球面状の表面、及び表面の凹凸又は溝により、滑り止め部材を地面に突いた際に滑りが生じるのを更に効果的に防止することができる。
【発明の効果】
【００２４】
以上、説明したように、請求項１に記載のストックのグリップによれば、グリップを握った時に親指はグリップの凹状支持部に位置し、グリップに対して親指がずれないようになる。
【００２５】
請求項２に記載のストックのグリップによれば、ストラップに手の甲の部分を通した状態でストラップを締め付けることにより、ストラップとグリップとの間に手の甲の部分を固定することができ、手の甲の部分とグリップとを一体化することができる。そして、この状態で手の親指をグリップの端部の凹状の支持部に載せることにより、グリップの端部を手の親指で支えることができる。
従って、手の指をグリップから離しても、手の甲の部分とグリップとを一体化し続けることができるとともに、グリップの端部を手の親指で支えることができるので、手の指を離した状態でも腕と歩行用ストックとを一体に振り続けることができる。この結果、長時間のウォーキングを連続して快適に行うことができ、所望の運動効果を得ることが可能となる。
【００２６】
また、本発明の請求項３に記載のストックのグリップによれば、支持部の傾斜角度を手を開いたときの親指の角度に合わせ、曲面を親指の外径よりも大きい曲率半径に設定しておくことにより、ストラップに手の甲の部分を通した状態で手の親指を自然な角度でグリップの凹状支持部に載せることができるとともに、支持部に載せた手の親指が支持部から外れるのを防止できる。従って、手の親指によって歩行用ストックの上下方向の動き（グリップの軸線方向への動き）を押えることができるので、手の指をグリップから離した状態で腕と歩行用ストックとを一体に振り続けることができる。
【００２７】
さらに、本発明の請求項４に記載のストックのグリップによれば、ストラップに手の甲の部分を通した状態で、手の人差し指の一部が係止部に係止されることになるので、手の指をグリップから離した状態で腕と歩行用ストックとを一体に振った場合に、手の甲の部分がグリップの軸線方向にずれるのを防止でき、腕と歩行用ストックとを一体として安定した状態で振り続けることができる。
【００２８】
さらに、本発明の請求項５に記載のストックのグリップによれば、手の指をグリップから離した状態で腕と歩行用ストックとを一体に振った場合に、手の甲の部分がグリップの軸線方向にずれるのを防止できるとともに、人差し指の係止部との接触部分に集中しようとする荷重を分散させることができ、人差し指を傷めるようなことはない。
【００２９】
さらに、本発明の請求項６に記載のストックのグリップによれば、手の指をグリップから離した状態で腕と歩行用ストックとを一体に振った場合に、手の甲の部分に集中しようとする荷重をパッドによって緩衝させることができ、手の甲の部分を傷めるようなことはない。
【００３０】
さらに、本発明の請求項７に記載のストックのグリップによれば、シャフトの他端部に滑り止め部材を取り付け、この滑り止め部材を介して歩行用ストックを地面に突くことにより、滑り易い地面であっても歩行用ストックで確実に地面に突くことが可能となり、地面の状態に影響されることなく、長時間のウォーキングが可能となり、一定の運動効果が得られることになる。
【００３１】
さらに、本発明の請求項８に記載のストックのグリップによれば、滑り止め部材の先端部の球面状の表面、及び表面の凹凸又は溝により、滑り止め部材を地面に突いた際に滑りが生じるのを更に効果的に防止することができることになる。
【発明を実施するための最良の形態】
【００３２】
以下、図面を参照しながら本発明の実施の形態について説明する。
図１〜図３には、本発明による歩行用ストックの第１の実施の形態が示されていて、図１はグリップが設けられた歩行用ストックの全体を示す正面図、図２は図１のグリップの拡大図、図３は図２のＡ矢視図である。
【００３３】
なお、以下の説明においては、右手用の歩行用ストック１を用いて詳細を説明するが、左手用の歩行ストックは、右手用の歩行用ストック１と対称に形成されるので、その詳細な説明は省略するものとする。
【００３４】
すなわち、本実施の形態の歩行用ストック１は、ノルディック・ウォーキング等のように、２本の歩行用ストックを両手に持って全身を使って行うウォーキングスポーツに有効なものであって、図１に示すように、シャフト２と、シャフト２の一端部に取り付けられるグリップ１０と、グリップ１０に取り付けられるストラップ３５とを備えている。
【００３５】
シャフト２は、各種のアルミ合金や炭素繊維強化プラスチック等から形成されるパイプ状をなすものであって、図１に示すように、第１シャフト３と、一端部（図１の上端部）が第１シャフト３の内部にスライド可能に挿入される第１シャフト３よりも小径の第２シャフト４と、第１シャフト３と第２シャフト４とを固定する固定スリーブ５とを備えており、第２シャフト４の第１シャフト３への挿入量を調整してシャフト２を伸縮させることにより、シャフト２の全長を所望の長さに調整することができる。
【００３６】
第２シャフト４の他端部（図１の下端部）には、合成ゴム等の弾性体からなる滑り止め部材６が着脱可能に取り付けられている。滑り止め部材６は、第２シャフト４の他端部が嵌合される筒状の本体部７と、本体部７の下端部に一体に設けられるとともに、第２シャフト４よりも大径の略球形状の滑り止め部８とからなり、滑り止め部８の表面には所定のパターンの溝又は凹凸（図示せず）が設けられている。
【００３７】
なお、本実施の形態では、第１シャフト３と第２シャフト４とによってシャフト２を構成しているが、１本のパイプ状のものでシャフト２を構成するようにしてもよい。その場合には、長さの異なる複数のシャフト２を用意しておくことにより、身長の異なる様々な人々に対応することができる。さらに、滑り止め部材６は図示の形状のものに限定することなく、種々のものを採用することができる。
【００３８】
グリップ１０は、各種の合成樹脂、合成ゴム等から形成されるものであって、図１〜図３に示すように、一端（図１〜図３の上端）が閉塞されたパイプ状のグリップ本体１１と、グリップ本体１１の一端部（図１〜図３の上端部）に一体に設けられる支持部１７と、グリップ本体１１の他端部（図１〜図３の下端部）に一体に設けられるフランジ部２１とを備え、グリップ本体１１の内側に下方から第１シャフト３の一端部（図１〜図３の上端部）を嵌合させることにより、第１シャフト３に一体に取り付けられる。
【００３９】
グリップ本体１１は、上面が支持部１７に形成されるとともに、この支持部１７は親指方向と合致する凹状に形成されている。さらに、断面は略楕円形状に形成されるものであって、図３の右側の面１２（図２の手前側の面）を手の平に添わせ、手前側の面１３（図２の左側の面）を親指の根元付近に添わせ、奥側の面１４（図２の右側の面）を各指の根元付近に添わせ、左側の面１５（図２の奥側の面）を各指の平に添わせるように、手の全体で包み込むように握るように構成されている。
【００４０】
支持部１７は、図３の奥側の面１９（図２の右側の面）及び両側の面２０、２０（図２の奥側の面、手前側の面）がグリップ本体１１よりも外方に突出するグリップ本体１１よりも大径の略楕円形状をなすものであって、グリップ本体１１を手で握った際に、この支持部１７によって手がグリップ本体１１の上方に抜けるのが防止される。
【００４１】
支持部１７は、図２及び図３に示すように、後述するストラップ３５によって手の甲の部分をグリップ本体１１に固定した際に、手の親指を載せるための支持部に形成されており、この支持部１７の上面が親指が位置するように凹部に形成されている。
すなわち、支持部１７の上面１８は、グリップ本体１１の軸線に対して所定の角度で傾斜し、かつ、両側がせり上がった所定の曲率半径の曲面に形成されている。この支持部１７の上面１８は、手の各指を開いたときの親指の角度に合うように、かつ、親指の外径よりも大径の曲率半径の曲面となるように、傾斜角度及び曲率半径に設定されており、これにより、グリップ本体１１に手の甲の部分を固定した状態で無理なく親指が凹部１７ａ内に位置することができる。
【００４２】
支持部１７に近接するグリップ本体１１の部分（図３の右側の面１２、図２の手前側の面）には、所定の深さの溝部１６が設けられ、この溝部１６内に合成樹脂等から形成される第１取付部材２５と一緒にストラップ３５の一端部を挿入し、グリップ本体１１の支持部１７の上面中央部を貫通させたねじ２６をストラップ３５を貫通させて第１取付部材２５にねじ込むことにより、ストラップ３５の一端部がグリップ本体１１の支持部１７に近接する部分に取り付けられる。
【００４３】
フランジ部２１は、図３の奥側の面２２（図２の右側の面）及び両側の面２３、２３（図２の奥側の面、手前側の面）がグリップ本体１１よりも外方に突出するグリップ本体１１よりも大径の略楕円形状をなすものであって、グリップ本体１１を手で握った際に、このフランジ部２１によって手がグリップ本体１１の下方に抜けるのが防止される。
【００４４】
フランジ部２１よりも外側（図１〜図３の下方）のグリップ本体１１の他端部には、グリップ本体１１の軸線を中心として対向配置される一対の円弧板状の係合片２４、２４が一体に設けられ、この一対の係合片２４、２４を第２取付部材２８に係合させることにより、グリップ本体１１の他端部に第２取付部材２８が取り付けられる。
【００４５】
第２取付部材２８は、図２及び図３に示すように、一対の切欠部３０、３０が対向配置される円筒状の本体部２９と、本体部２９の外周面に突出した状態で一体に設けられるとともに、中央部にストラップ３５を通すための通し孔３２が設けられるストラップ取付部３１とからなり、本体部２９の内側にグリップ本体１１の他端部の一対の係合片２４、２４を挿入して、各係合片２４を各切欠部３０に係合させることにより、グリップ本体１１の他端部に取り付けられる。
【００４６】
ストラップ３５は、合成樹脂等から形成される帯状をなすものであって、一端部が第１取付部材２５及びねじ２６を介してグリップ本体１１の支持部１７の近傍に取り付けられるとともに、他端部がグリップ本体１１のフランジ部２１の近傍の第２取付部材２８の通し孔３２内に挿通され、この状態で折り返されて輪状に形成され、後述する面ファスナ４０によって輪状に固定される。
【００４７】
パッド４５は、クッション性を有する素材（ポリウレタンフォーム等）からなるストラップ３５よりも幅広の帯状をなすものであって、このパッド４５の内部にストラップ３５を挿通させることにより、ストラップ３５に取り付けられている。
【００４８】
この場合、パッド４５の外面には、面ファスナ４０のフック部４２が設けられ、このフック部４２にストラップ３５の他端部に設けたループ部４１を密着させて相互に噛合させることにより、ストラップ３５を輪状に固定することができる。また、ストラップ３５のループ部４１のパッド４５のフック部４２に対する噛合位置を変えることにより、ストラップの輪状の大きさを変えることができる。
【００４９】
なお、本実施の形態においては、面ファスナ４０のフック部４２をストラップ３５に設け、ループ部４１をパッド４５に設けたが、図示はしないが、ループ部４１をストラップ３５に設け、フック部４２をパッド４５に設けるように構成してもよい。
【００５０】
上記のように構成した本実施の形態による歩行用ストック１にあっては、グリップ１０のグリップ本体１１を手で握った状態で手の甲の外側にパッド４５を当て、ストラップ３５の他端部を第２取付部材２８の通し孔３２内を通して折り返し、この状態でストラップ３５を締め付けてストラップ３５側のフック部４２をパッド４５側のループ部４１に噛合させることにより、手の甲の部分をグリップ本体１１に押し付けた状態に固定することができる。
【００５１】
そして、この状態で親指をグリップ１０の上端部の支持部１７に載せ、この状態で両腕と一体に歩行用ストック１を振りながら歩行することにより、有酸素運動である所望のウォーキングを行うことができる。
【００５２】
この場合、ストラップ３５によって手の甲がグリップ本体１１に押し付けられた状態に固定され、しかも、グリップ本体１１の上端部の支持部１７の凹部１７ａに親指が位置しているので、手の指をグリップ１０から離しても、親指は支持部１７にしっかりと押し付けられて歩行用ストック１にぶれが生じるようなことはなく、歩行用ストック１を腕と一体に振り続けることができる。
【００５３】
従って、長時間のウォーキングを行う場合であっても、握力が低下したり、手首に負担がかかるようなことはなく、快適性を失うことなく連続して腕と歩行用ストック１とを一体として振り続けることができ、所望の運動効果を得ることが可能となる。また、手の甲にはパッド４５が接触しているので、ストラップ３５によって締め付けても、手の甲側に痛みが生じるようなことはなく、腕と歩行用ストック１とを一体として振り続けることができる。
【００５４】
また、歩行用ストック１を地面に突くような使い方をする場合に、シャフト２の下端部に弾性体からなる滑り止め部材６を予め取り付けておくことにより、歩行用ストック１を地面に突いたときの衝撃を緩衝させることができるので、衝撃によって手首を痛めるようなことはない。
【００５５】
また、滑り止め部材６の滑り止め部８は、球形状に形成されるとともに、表面に溝又は凹凸が設けられているので、歩行用ストック１の突く角度に影響されることなく、確実に歩行用ストック１を地面に突くことができるとともに、滑り易い地面に歩行用ストック１を付く場合であっても、地面との間に滑りが生じるようなことはなく、地面の状態に影響されることなく、安定した歩行を長時間続けることができる。
【００５６】
図４には、本発明による歩行用ストック１の第２の実施の形態が示されている。この歩行用ストック１は、グリップ１０のグリップ本体１１の支持部１７に近接する部分に第１取付部材２５と一体に形成される係止部２７を設けて、この係止部２７に手の人差し指の上部を係止させるように構成したものであって、その他の構成は第１の実施の形態に示すものと同様であり支持部１７の上面には親指を位置させる凹部が設けられている。
【００５７】
そして、係止部２７は、合成樹脂等から形成される略Ｌ型板状をなすものであって、第１取付部材２５から外方（図４の右方向）に突出するように、第１取付部材２５に一体に設けられ、この係止部２７の下面側にグリップ本体１１を握った状態の手の人差し指の上部が係止される。
【００５８】
この場合、係止部２７は、第１取付部材２５との連結部が他の部分よりも細く形成されていることにより、グリップ１０の軸線方向に弾性変形可能に構成され、この弾性力によって係止部２７を人差し指の上部に押し付けることができる。
【００５９】
上記のように構成した本実施の形態による歩行用ストック１にあっても、第１の実施の形態に示すものと同様の作用効果を奏する他に、係止部２７を手の人差し指の上部に係止させることができるので、手の指をグリップ本体１１から離したときの手と歩行用ストック１との一体感を更に高めることができ、長時間のウォーキングを更に快適に連続して行うことができる。
【図面の簡単な説明】
【００６０】
【図１】本発明によるグリップにスラップを取り付けたストックの実施の形態の全体を示した正面図である。
【図２】図１のグリップの拡大図である。
【図３】図２のＡ矢視図である。
【図４】本発明によるストックのグリップの他の実施の形態の部分拡大図である。
【符号の説明】
【００６１】
１  歩行用ストック
２  シャフト
３  第１シャフト
４  第２シャフト
５  固定スリーブ
６  滑り止め部材
７  本体部
８  滑り止め部
１０  グリップ
１１  グリップ本体
１２  右側の面
１３  手前側の面
１４  奥側の面
１５  左側の面
１６  溝部
１７  支持部
１７ａ  凹部
１８  上面
１９  奥側の面
２０  両側の面
２１  フランジ部
２２  奥側の面
２３  両側の面
２４  係合片
２５  第１取付部材
２６  ねじ
２７  係止部
２８  第２取付部材
２９  本体部
３０  切欠部
３１  ストラップ取付部
３２  通し孔
３５  ストラップ
４０  面ファスナ
４１  ループ部
４２  フック部
４５  パッド
【図１】
2010110407.tif 000003
【図２】
2010110407.tif 000004
【図３】
2010110407.tif 000005
【図４】
2010110407.tif 000006